(57)【要約】      （修正有）【課題】内容物の定量排出と共に、排出後、迅速に閉塞されることで、更なる内容物が流出することを防止し、且つ、内容物が変質することを防止する。【解決手段】チューブ容器１００の吐出口１１２側に、簡単な構造により、内容物の押出時には、定量での排出がスムーズに行われ、排出後には、チューブ容器内の耐圧により、迅速な遮断が行われ、更なる内容物が流出しないように、外側面がチューブ容器ヘッドに形成された結合溝１１３に挿入固定され、吐出口に対応する排出孔１２が設けられた固定バルブ１０と、前記固定バルブの内側面に結合固定され、圧着時に、該当圧着力で前記排出孔を開放し、押出済みの時点で、本体の内部圧力で前記排出孔を閉塞するバルブ体２０とを含む。【選択図】図１
2016084180.tif 000002
【特許請求の範囲】
【請求項１】
チューブ容器の本体の一端に吐出口が形成されたヘッドの結合溝と、前記結合溝に装着固定される固定具の間に介在し、圧着により内容物を押出した後、内容物が流出することを防止するチューブ容器の内容物流出防止用バルブであって、
外側面が前記結合溝に挿入固定され、前記吐出口に対応する排出孔が設けられた固定バルブと、
前記固定バルブの内側面に結合固定され、圧着時に、該当圧着力で前記排出孔を開放し、押出済みの時点で、本体の内部圧力で前記排出孔を閉塞するバルブ体とを含むことを特徴とするチューブ容器の内容物流出防止用バルブ。 
【請求項２】
前記固定バルブは、内側面上端に、前記バルブ体の上端を支持固定する固定段差が設けられ、前記結合溝に挿入固定される円筒状の結合本体と、前記結合本体の内部に、前記吐出口よりも小径を有するように設けられる排出孔が形成された受け面と、前記排出孔の外周縁の受け面に突設される支持段差とを含むことを特徴とする請求項１に記載のチューブ容器の内容物流出防止用バルブ。
【請求項３】
前記バルブ体は、前記結合本体の内側面に挿入結合されるリング体と、前記リング体の内側面に圧着による前記排出孔を開閉可能に設けられるバルブ板と、前記リング体とバルブ板との間に、端部がリング体とバルブ板に互いに対向する位置にそれぞれ連結して形成された複数の弧状帯とを含むことを特徴とする請求項２に記載のチューブ容器の内容物流出防止用バルブ。
【請求項４】
前記内容物が排出するように、前記リング体と複数の弧状帯との間、及び前記バルブ板と弧状帯との間には、複数の排出隙間が設けられることを特徴とする請求項３に記載のチューブ容器の内容物流出防止用バルブ。
【請求項５】
前記バルブ板は、リング体の厚みよりも薄く形成され、そのバルブ板の底面には、前記支持段差に対応する噛合溝が、更に設けられることを特徴とする請求項３に記載のチューブ容器の内容物流出防止用バルブ。
【発明の詳細な説明】
【技術分野】
【０００１】
本発明は、チューブ容器内の内容物流出防止用バルブに関し、より詳しくは、チューブ容器の吐出口側に簡単な構造により、内容物の押出時には、定量での排出がスムーズに行われ、排出後には、チューブ容器内の耐圧により迅速な遮断が行われることで、内容物が更に流出しないようにすると共に、外部空気や異物がチューブ容器内に流入することを遮断するようにしたチューブ容器の内容物流出防止用バルブに関する。 
【背景技術】
【０００２】
一般に、各種の化粧品を保存して使用する化粧品のチューブ容器は、その種類により、様々な形態で製作して使用されており、近年になっては、単に、化粧品を保存する用途の他に、化粧品を更に安全に長期間保管しながら、適量を正確に排出して使用できるようにする機能を有するチューブ容器が開発され、使用している実情である。 
【０００３】
このように、化粧品のチューブ容器に、定量の排出と共に、外部から空気や異物などが流入しないように使用されるものの１つとして、ピストン下降式のエアレスポンプ(airless pump)が設置されて使用していることが代表的であると言える。
【０００４】
このようにエアレスポンプが適用されるチューブ容器は、更なる設置要素のため、高級製品の化粧品に適用されることが一般的である。 
【０００５】
一方、一般の化粧品などが保存されるチューブ容器は、内容物が注入される本体の一端に蓋体が着脱し、且つ、本体内に注入された内容物が押出される吐出口が形成されたヘッドが一体に形成される。 
【０００６】
これより、使用者がチューブ容器の本体を圧着することにより、その本体に注入されていた内容物を、ヘッドに形成された吐出口を介して押出して使用するもので、このような通常のチューブ容器は、使用者の圧着力により、瞬間的に多くの量が一時的に排出されるという不都合があった。 
【０００７】
また、排出後、蓋体を閉じておかないと、吐出口を介して、内容物が持続的に流出され、且つ、外部空気が流入して、内容物が変質するという不都合もあった。
【０００８】
前記のような従来の問題点を解決するために、本出願人が先出願して登録された下記の特許文献１に開示されているように、チューブ容器内に注入されて使用される内容物を、押出時には、一定量が持続的に押出されて使用できるようにし、使用済みの時点では、ヘッドの吐出口を自動に閉塞して、内容物が流出しないようにしたチューブ容器の内容流出防止装置のような技術が提案されている。 
【０００９】
また、下記の特許文献２に開示されているように、チューブ容器内の内容物を、押出時には、一定量を持続的に押出し、押出後には、チューブ容器のヘッドに形成された吐出口を閉じて、更なる内容物が流出しないようにすると共に、外部空気がチューブ容器内に流入することを根本的に防ぐような技術も提案されている。 
【先行技術文献】
【特許文献】
【００１０】
【特許文献１】大韓民国登録実用新案第２０−０２９４６２４号
【特許文献２】大韓民国登録特許第１０−０９６９６５１号
【発明の概要】
【発明が解決しようとする課題】
【００１１】
しかし、前記特許文献1及び２は、チューブ容器内の内容物を押出した後、内容物が流出することを防止するための技術的構成が、複雑な構造を有している。 
【００１２】
すなわち、使用者の容器本体の圧着により、嵌合口上に開閉口が往復しながら、内容物が流出・遮断するようになるが、その構造が複雑であり、且つ、内容物の押出後、流動空間部内に一部の内容物が残留するという不都合をあった。 
【００１３】
前記のような従来の問題点を解決するための本発明の主な目的は、チューブ容器の吐出口側に、簡単な構造により、内容物の押出時には、定量での排出がスムーズに行われ、排出後には、チューブ容器内の耐圧により、迅速な遮断が行われ、更なる内容物が流出しないようにすると共に、外部空気や異物が容器内に流入することを遮断できるようにしたチューブ容器の内容物流出防止用バルブを提供することにある。 
【００１４】
本発明の他の目的は、内容物の押出による低い圧力にもバルブが敏感に反応して、正確な量の排出と共に、内容物が排出された後、流出することを根本的に防ぐことにある。 
【課題を解決するための手段】
【００１５】
前記のような技術的課題を解決するために、本発明は、チューブ容器の本体の一端に吐出口が形成されたヘッドの結合溝と、前記結合溝に装着固定される固定具の間に介在し、圧着により内容物を押出した後、内容物が流出することを防止するチューブ容器の内容物流出防止用バルブであって、外側面が前記結合溝に挿入固定され、前記吐出口に対応する排出孔が設けられた固定バルブと、前記固定バルブの内側面に結合固定され、圧着時に、該当圧着力で前記排出孔を開放し、押出済みの時点で、本体の内部圧力で前記排出孔を閉塞するバルブ体とを含むことを特徴とする。 
【００１６】
また、本発明によるチューブ容器の内容物流出防止用バルブにおいて、前記固定バルブは、内側面上端に、前記バルブ体の上端を支持固定する固定段差が設けられ、前記結合溝に挿入固定される円筒状の結合本体と、前記結合本体の内部に、前記吐出口よりも小径を有するように設けられる排出孔が形成された受け面と、前記排出孔の外周縁の受け面に突設される支持段差とを含むことを特徴とする。
【００１７】
更に、本発明によるチューブ容器の内容物流出防止用バルブにおいて、前記バルブ体は、前記結合本体の内側面に挿入結合されるリング体と、前記リング体の内側面に圧着による前記排出孔を開閉可能に設けられるバルブ板と、前記リング体とバルブ板との間に、端部がリング体とバルブ板に互いに対向する位置にそれぞれ連結して形成された複数の弧状帯とを含むことを特徴とする。
【００１８】
また、本発明によるチューブ容器の内容物流出防止用バルブにおいて、前記内容物が排出するように、前記リング体と複数の弧状帯との間、及び前記バルブ板と弧状帯との間には、複数の排出隙間が設けられることを特徴とする。
【００１９】
更に、本発明によるチューブ容器の内容物流出防止用バルブにおいて、前記バルブ板は、リング体の厚みよりも薄く形成され、そのバルブ板の底面には、前記支持段差に対応する噛合溝が、更に設けられることを特徴とする。 
【発明の効果】
【００２０】
本発明は、チューブ容器の吐出口側に、簡単な構造により、内容物の押出時には、定量での排出がスムーズに行われ、排出後には、チューブ容器内の耐圧により、迅速な遮断が行われ、更なる内容物が流出しないようにすると共に、外部空気や異物が容器内に流入することを遮断することにより、内容物の定量排出が行われ、排出後には、迅速に閉じられることにより、更なる内容物が流出することを防止して、内容物が変質することを防止することができる。
【００２１】
また、内容物の押出による低い圧力にもバルブが敏感に反応して、正確な量の排出が行われ、内容物が排出された後、流出することを根本的に防ぐことで、所望する定量の内容物だけが排出され、且つ、排出後に、流出防止と共に、内容物の変質防止もスムーズに行えるる。 
【図面の簡単な説明】
【００２２】
【図１】図１は、本発明を説明するための一部分解断面図である。
【図２】図２は、図１によるバルブ板を示す平面図である。
【図３】図３は、図１による結合状態の断面図である。
【図４】図４は、本発明の使用状態を説明するための拡大断面図である。
【発明を実施するための形態】
【００２３】
以下、本発明の望ましい実施例を添付の図面に沿って、詳しく説明するが、本発明が、実施例により、制限・限定されることではない。 
【００２４】
図１は、本発明を説明するための一部分解断面図であり、図２は、図１によるバルブ板を示す平面図であり、図３は、図１による結合状態の断面図であり、図４は、本発明の使用状態を説明するための拡大断面図である。 
【００２５】
図面に示しているように、本発明によるチューブ容器の内容物流出防止用バルブは、チューブ容器１００の本体１１０一端に、圧着で内容物が吐出される吐出口１１２が形成されたヘッド１１４に設けられた結合溝１１３と、吐出口１１２から押し出される内容物が排出される排出路１２２とが形成され、前記結合溝１１３に装着固定される固定具１２０の間に介在して、圧着により内容物を押出した後、流出することを防止するように設けられるバルブ１である。
【００２６】
前記固定具１２０は、外側面に形成された固定突起１２４が、前記ヘッド１１４の結合溝１１３の内側面に形成された固定溝１１３аと噛み合って、本体１１０に固定される。
【００２７】
本発明の内容物流出防止用バルブは、チューブ容器の吐出口側に、簡単な構造により、内容物の押出時には、定量での排出がスムーズに行われ、排出後には、チューブ容器内の耐圧により、迅速な遮断が行われることで、更なる内容物が流出しないようにすると共に、外部空気や異物が容器内に流入することを遮断できるようにする。 
【００２８】
本発明による前記バルブ１は、図１に示しているように、外側面が結合溝１１３に挿入固定され、吐出口１１２に対応する排出孔１２が形成された固定バルブ１０と、前記固定バルブ１０の内側面に結合固定され、圧着時に、該当圧着力で前記排出孔１２を開放し、押出済みの時点で、本体１１０の内部圧力で前記排出孔１２を閉塞するベルブ体２０とを含む。
【００２９】
言い換えると、前記バルブ１は、ヘッド１１４の結合溝１１３に挿入され、結合固定される固定バルブ１０と、前記固定バルブ１０の内側面に、別の遊びなく挿入され、結合固定されるベルブ体２０とを含み、短い距離で開閉するようになされる。 
【００３０】
すなわち、使用者がチューブ容器１００の本体１１０を加圧すると、本体１１０に加えられた圧力により、前記ベルブ体２０は、固定バルブ１０の排出孔１２を開放させ、内容物が押出しながら、固定具１２０の排出路１１２を介して、外部に排出される。次いで、圧着済みの時点では、本体１１０に加えられた圧着力により、本体１１０の内部で発生した膨張圧力で前記ベルブ体２０を吸入させることにより、排出孔１２を迅速に閉塞して、更なる内容物が流出せず、遮断することになる。 
【００３１】
さらに、本発明は、使用者がチューブ容器１００の本体１１０を加圧する瞬間、固定バルブ１０の排出孔１２をベルブ体２０が迅速に開放し、圧力が解除される瞬間、再度、ベルブ体２０が排出孔１２を迅速に閉塞することにより、本体内の内容物を加圧すると、一定量のみを正確に排出させる条件と共に、加圧が終わると、ベルブ体２０が排出孔１２を迅速に閉塞することにより、更なる内容物が流出しない条件を有する。この時、前記排出孔１２とベルブ体２０とは、短い距離に位置して、迅速に開閉することになる。 
【００３２】
合わせて、前記ベルブ体２０が排出孔１２を迅速に閉塞することにより、外部空気や異物なども容器の本体内に流入することを防止する条件も有する。 
【００３３】
また、本発明のバルブは、固定バルブでバルブ体が開閉することにより、本出願人が先出願して登録された登録実用新案、又は登録特許の流動空間部が不要であるため、残留異物も発生しない条件を有する。 
【００３４】
これにより、本発明のバルブは、吐出口側で固定バルブと、その固定バルブにおいて、短い距離で迅速に開閉されるベルブ体により、本体に加えられる圧着力によってのみ、正確な定量だけが排出されると共に、圧力解除時には、本体内の内部圧力により、迅速に排出孔を閉塞することで、内容物の流出防止と共に、外部空気や異物が流入することを防止して、内容物が変質することを防止する。 
【００３５】
固定バルブ１０は、内側面上端に前記ベルブ体２０の上端を支持固定して、離脱しないように固定する固定段差１３を形成し、前記結合溝１１３に挿入固定される円筒状の結合本体１５と、前記結合本体１５の内部に、前記吐出口１１２よりも小径を有するように形成され、吐出口１１２から吐出される内容物が迅速に排出される排出孔１２が形成された受け面１４と、前記排出孔１２の外周縁の受け面１４に、前記ベルブ体２０の底面と気密を維持するために突設される支持段差１６とを含む。前記結合本体１５の外側面は、前記結合溝１１３において、強制嵌合方式で緊密に密着固定される。 
【００３６】
また、前記支持段差１６は、ベルブ体２０の底面と開閉時に開放、又は閉塞時にベルブ体の底面と緊密に密着して、高い気密性を有する役目を果たし、特に、閉塞時にベルブ体の底面と高い気密性を有することで、内容物の流出防止と共に、外部空気や異物が流入することを防止する。 
【００３７】
前記ベルブ体２０は、図３に示しているように、前記結合本体１５の内側面に、通常の強制嵌合方式により挿入結合されるリング体２２と、前記リング体２２の内側面に、チューブ容器１００の本体１１０の圧着による前記排出孔１２を開閉可能に設けるバルブ板２４と、前記リング体２２とバルブ板２４との間に内容物が排出するように、複数の排出隙間２６が設けられた複数の弧状帯２３とを含む。 
【００３８】
すなわち、前記バルブ板は、複数の弧状帯で支持されることにより、低い圧力にも敏感に反応でき、これより、固定バルブの排出孔を迅速に開閉する条件を有することになる。そこで、使用者にとって、チューブ容器の本体に加える圧着力分だけ、内容物を排出することができ、且つ、圧力解除に伴い、迅速に排出孔を遮断することで、内容物を更に流出しないようにすると共に、外部の空気や異物が流入しないように遮断することになる。 
【００３９】
合わせて、前記弧状帯２３は、各端部がリング体２２とバルブ板２４に互いに対向する位置にそれぞれ連結され、そのリング体２２と弧状帯２３との間、及びバルブ板２４と弧状帯２３との間にそれぞれ排出隙間２６が設けられ、ここで、前記バルブ板２４は、リング体２２の厚みよりも薄く形成され、そのバルブ板２４の底面には、前記支持段差１６に対応する噛合溝２４аが更に設けられる。 
【００４０】
すなわち、前記バルブ板は、リング体の厚みよりも薄く形成され、且つ、複数の弧状帯で支持されることにより、低い圧力に対しても迅速に反応すると共に、内容物の排出は、該当弧状帯の間に設けられた排出隙間を介して、迅速且つ一定量のみが排出されることになる。また、前記バルブ板の底面に設けられた噛合溝は、排出口から、開閉時に支持段差と噛合して開閉することにより、優れた気密性を有する。 
【００４１】
これより、開放時と共に、特に閉塞時に、前記支持段差と噛合溝が当接して、優れた気密性を維持する条件を有することになり、これより、内容物の流出を根本的に防ぐと共に、外部の空気や異物の流入も、根本的に防ぐことができる。 
【００４２】
また、圧力により敏感に反応するバルブ板により、正確な一定量の内容物を排出し、且つ、排出が完了して、圧力が解除するときは、バルブ板が排出孔を迅速に遮断することで、内容物の流出防止と共に、変質することも防止できる条件を有する。 
【符号の説明】
【００４３】
１: バルブ
１０: 固定バルブ 
１２: 排出孔
１３: 固定段差
１４: 受け面
１５: 結合本体 
１６: 支持段差
２０: バルブ体 
２２: リング体
２３: 弧状帯 
２４: バルブ板
２４а: 噛合溝 
２６: 排出隙間
１００: チューブ容器 
１１０: 本体
１１２: 吐出口 
１１３: 結合溝
１１３a: 固定溝 
１１４: ヘッド
１２０: 固定具 
１２２: 排出路
１２４: 固定突起
【図１】
2016084180.tif 000003
【図２】
2016084180.tif 000004
【図３】
2016084180.tif 000005
【図４】
2016084180.tif 000006